(57)【要約】【課題】冷蔵室や収納量の多い扉ポケット部が本体の上部にあっても開扉時における冷蔵庫を倒れにくくしてその設置スペースを小さくし、観音開き式であっても左右の各扉内側のポケットの収納容量を保持して使い勝手を向上するとともに、扉内側の外観意匠を良好にして異音が発生しない冷蔵庫を提供する。【解決手段】両側端に設けたヒンジ部によって貯蔵室の前面開口を中央部から観音開きに開放する左右の扉１２、１３と、この左右扉の各々の室内側に延出して配設されたポケット用ビード部１５ａを一体に形成した扉内側部材１５と、この扉内側部材に取り付けられて収納ポケット部２０を形成する扉ポケット部材１６とからなり、前記扉内側部材をポリプロピレン樹脂製として射出成形により形成したことを特徴とする。【選択図】  図２
2004353942.tif 000002
【特許請求の範囲】
【請求項１】
両側端に設けたヒンジ部によって貯蔵室の前面開口を中央部から観音開きに開放する左右の扉と、この左右扉の各々の室内側に延出して配設されたポケット用ビード部を一体に形成した扉内側部材と、この扉内側部材に取り付けられて収納ポケット部を形成する扉ポケット部材とからなり、前記扉内側部材をポリプロピレン樹脂製として射出成形により形成したことを特徴とする冷蔵庫。
【請求項２】
扉ポケット部材と係合する扉内側部材のポケット取り付け部にシボ加工を施したことを特徴とする請求項１記載の冷蔵庫。
【発明の詳細な説明】
【０００１】
【発明の属する技術分野】
本発明は、冷蔵庫に係り、特に冷蔵室の前面開口を左右に区分して開閉する観音開き式扉を有する冷蔵庫に関する。
【０００２】
【従来の技術】
近年の家庭用冷蔵庫の容量は、食生活や食品流通事情の変化から大容量化の傾向にあり、設置容積の確保は、台所事情など限られたスペースから、幅寸法の拡大よりも高さ寸法を高くすることで解決しており、その結果、現大形冷蔵庫の高さ寸法は１８００ｍｍにもなり、主な使用者である日本女性の平均身長からも限界レベルにある。
【０００３】
一般に、家庭用冷蔵庫の扉は各貯蔵室毎に設けられているが、最も使用頻度が高く扉の開閉数が多いことから冷蔵室を冷蔵庫本体の最上部に配置する傾向にあり、冷蔵室は収納容積が大きいことから、その開口部に一側をヒンジで枢支した回動式の扉を設けて開閉するようにし、その下部に配置した野菜室や冷凍室、製氷室などは個々の設置高さ位置や使い勝手面から引き出し扉による開閉をおこなっている例が多い。
【０００４】
冷蔵室については、上記配置条件による形態から本体上部および庫内奥部に収納棚部が存在し、手が届きにくいことから、収納物の出し入れ作業を改善するため、近年は、より手近にあって使い勝手のよい冷蔵室扉の内側ポケットの収納容積を増大させており、その結果として冷蔵室扉の重量が大きくなり、開扉時には冷蔵庫本体の重心が上方および前方に移動する傾向にあった。
【０００５】
したがって、冷蔵庫の扉幅が、例えば６００ｍｍであれば、冷蔵室の開扉時には扉の反ヒンジ側、すなわち開放側の端面が扉幅寸法分前方に突出することになり、狭い台所空間や通路を占有することになる。また本体上部の扉内側ポケット部にペットボトルや調味料などを多く収納して重心が高くなった冷蔵室扉を開くことによって冷蔵庫が倒れやすくなり、冷蔵庫倒れに対する安全保持のために、冷蔵庫下方前部における支持脚位置を前方に移動させるなどの措置が必要となり、結局、設置のための床スペースが大きくなる欠点に繋がっていた。
【０００６】
家庭用冷蔵庫の中でも超大形冷蔵庫と呼ばれる４５０リットル以上のより収納容積の大きいタイプでは、冷蔵庫本体の幅寸法を内容量に応じて大きくしており、一枚扉では開扉に相当な力を要することや、開扉時の扉の回転半径に対応する投影床スペースが必要になることから、冷蔵室扉については観音開き式の扉を採用しているものがあるが、収納容量が４００〜４５０リットル級の冷蔵庫においては、設置スペースの関係から冷蔵庫本体幅を６００ｍｍ程度に抑えており、コスト上の理由からも冷蔵室扉は従来より一枚扉による回動方式であった。
【０００７】
【発明が解決しようとする課題】
この容量クラスの冷蔵庫の冷蔵室扉を観音開き式にすることで、重心位置の前方移動を防止し、冷蔵庫を倒れにくくすることは可能であるが、この場合、冷蔵室扉を左右に分割して個々に開閉扉するため、扉単位での内側ポケットの収納量が大幅に減少する欠点があった。
【０００８】
本発明はこの点に着目してなされたもので、冷蔵室や収納量の多い扉ポケット部が本体の上部にあっても開扉時における冷蔵庫を倒れにくくしてその設置スペースを小さくし、観音開き式であっても左右の各扉内側のポケットの収納容量を保持して使い勝手を向上するとともに、扉内側の外観意匠を良好にして異音が発生しない冷蔵庫を提供することを目的とする。
【０００９】
【課題を解決するための手段】
上記課題を解決するために、本発明による冷蔵庫は、両側端に設けたヒンジ部によって貯蔵室の前面開口を中央部から観音開きに開放する左右の扉と、この左右扉の各々の室内側に延出して配設されたポケット用ビード部を一体に形成した扉内側部材と、この扉内側部材に取り付けられて収納ポケット部を形成する扉ポケット部材とからなり、前記扉内側部材をポリプロピレン樹脂製として射出成形により形成したことを特徴とするものである。
【００１０】
この構成により、本体高さが高いとともに幅寸法が小さく、冷蔵室が上部にあって扉の内側ポケットへの収納容量の大きい冷蔵庫であっても、冷蔵室扉の開扉時における重心の前方移行を少なくして転倒を防止する安全な形態が得られるとともに、左右に区分された扉内側収納ポケット部の載置スペースを保持して扉内側の外観意匠を良好にし、且つ扉ポケット部材とのこすれ音の発生を少なくすることができる。
【００１１】
【発明の実施の形態】
以下、図面に基づき本発明の１実施形態について説明する。本発明に係る冷蔵庫の縦断面図である図１に示すように、断熱箱体で形成された冷蔵庫本体（１）は、その内部を貯蔵空間として最上部に最も収納容積の大きい冷蔵室（２）を配置し、その下方に野菜室（３）を設けている。野菜室（３）の下方には温度切替室（５）と図示しない製氷室を併置し、最下部には冷凍室（６）をそれぞれ独立して配置し、各貯蔵室の前面開口には各々専用の扉を開閉自在に設けている。
【００１２】
冷凍室（６）と野菜室（３）の後部には、冷凍用冷却器（７）と冷蔵用冷却器（８）およびそれぞれに冷却ファンを設けて、本体下部に設置した冷媒圧縮機（９）の駆動により、前記各冷却器（７）（８）によって冷却された冷気を各貯蔵室に送風し、それぞれを所定の設定温度に冷却制御する。
【００１３】
冷蔵室（２）内には複数の棚（１０）を配置して複数段に亙る貯蔵品の収納空間を形成しており、その前面開口には、それぞれ外側端の上下部をヒンジ（１１）で枢支した左扉（１２）および右扉（１３）を回動自在に設置し、観音開き方式で閉塞している。
【００１４】
前記左扉（１２）と右扉（１３）は、本体中央部で対向して冷蔵室（２）の開口を左右に区分するように配置されており、図２に左扉（１２）の斜視図、図３にポケット部の横断面詳細を示すように、扉表面を形成する断面コ字状の鋼板製の扉外板（１４）に断熱空間を介して室内側の面を形成する扉内側（１５）を設け、上下の開口をキャップ部材で閉塞するとともに、内部空間に現場発泡方式にてウレタンフォームなどの断熱材（２１）を充填して一体化したものであり、前記扉内側（１５）には庫内側へ突出する複数の扉ポケット部材（１６）を設置するとともに、扉内側周縁にはガスケット（１７）を取り付けて室内冷気の外部流出を防いでいる。
【００１５】
冷蔵室（２）の前面開口中央部に位置する左右扉（１２）（１３）間においては、左右扉の一方、本実施例においては左扉（１２）の開放側端縁に設けられ、扉の開閉とともに回動し、閉扉状態で前記ガスケット（１７）と当接して外気を遮蔽する回転仕切片（１８）により開口部のシールをおこなっており、前記シール機構により、左右扉（１２）（１３）は随時いずれからでも開閉できるとともに、扉を開放した際には冷蔵室（２）内には室内を左右に仕切る区画板は存在せず、室内を広く使用できるように構成されている。
【００１６】
そして、前記冷蔵室（２）の左右扉（１２）（１３）や野菜室（３）の扉、冷凍室（６）などの扉からなる冷蔵庫本体（１）の幅寸法は、従来の一枚扉形態と同サイズ、例えば６００ｍｍとしており、前記左右扉（１２）（１３）の各幅寸法を、各々３００ｍｍ弱としている。
【００１７】
図１中二点鎖線は、前記冷蔵室の左右扉（１２）（１３）、および野菜室（３）や温度切替室（５）、冷凍室（６）などの引き出し方式による扉を開扉した状態を示しており、図からも明らかなように、中央部で分割した冷蔵室の左扉（１２）と右扉（１３）は最大に開扉してもその開放端は下部の野菜室（３）などの扉の引き出し位置よりも短く、その分重心の前方への移行は少なくなるものであり、この左右扉（１２）（１３）の構成により、冷蔵庫本体（１）の高さ寸法が高いとともに本体幅が比較的小さく、冷蔵室（２）が上部にあって扉の内側ポケット部材（１６）の収納容量の大きい冷蔵庫であっても、冷蔵室扉の開扉時における重心の前方移行を少なくして転倒を防止する安全な形態が得られる。
【００１８】
左右扉（１２）（１３）の内側を構成する扉内側（１５）は、ポリプロピレン樹脂を射出成形することにより形成されており、冷蔵室（２）の前面開口部近傍の内箱壁面との間に狭い間隙であるスロート（１９）を上下に亙って形成するように庫内両側へビード部（１５ａ）を突出させ、同時に前記ビード部（１５ａ）間の内面側に収納ポケット部（２０）を設けている。
【００１９】
また、収納ポケット部（２０）には、ポリスチレン樹脂を射出成形により形成した前記扉ポケット部材（１６）を取り付けており、平面コ字状の扉ポケット部材（１６）の側部外方の係合凸部（１６ａ）を扉内側（１５）の前記ビード部（１５ａ）の内面側に凸リブ（１５ｂ）によって一体に形成した係合凹溝（１５ｃ）と係合させて取り付けることにより室内側へ延出する収納部を形成している。
【００２０】
従来は、前記扉内側の材質をＡＢＳ（アクリロ‐ニトリル・ブタジエン・スチレン）樹脂として真空成形により形成しており、真空成形による成形方法ではポケット部分の肉厚が薄くなるため、扉内側裏面からの補強部品の添設が必要であった。また、真空成形品の特質として表面の光沢が強く、成形表面に発生するわずかな歪みが目立つとともに摩擦力も大きいため、手に粘り着く問題があった。
【００２１】
これに対し、本発明における扉内側（１５）の材質はポリプロピレンであり、さらに射出成形であることから、扉内側各部の寸法精度が高くなってスロート幅を可及的に狭くすることができるため、その分ポケット収納部スペースを大きくでき、強度を必要とするポケット部の肉厚についても充分な厚さに成形することができるとともに、光沢や摩擦力も少なくでき、表面に歪みが発生しても目立たなくすることができ外観意匠が向上する。
【００２２】
また従来は、扉ポケット部材（１６´）の材質も扉内側（１５´）と同じスチロール系のポリエステル樹脂であることから、ポケット収納品の重力や開閉扉時の振動で、扉内側とポケット部材が当接した場合にこすれ音が発生し、使用者に不快感を与えていたが、これについても、ポリプロピレン樹脂は比較的軟質であり、硬度の高いポリエステル樹脂の扉ポケット部材（１６）と当接状態になっても、こすれによる音発生を少なくすることができる。
本発明の実施例では、特に図示しないが、扉内側（１５）のポケット取り付け部である凸リブ（１５ｂ）や係合凹溝（１５ｃ）の近傍をシボ加工して凹凸面とすることで、ポケット部材（１６）との接触面積を小さくしており、この構成によって摩擦力を小さくして双方の嵌合を容易にし、こすれ音の発生をさらに少なくしている。
【００２３】
前記シボ加工は、扉内側（１５）の射出成形時に容易に形成できるものであり、扉内部空間への断熱材（２１）の注入充填時における発泡圧力やウレタンボイド、ガス溜まりなどによって発生する扉内側表面の変形をぼかし、目立たなくして外観を保持することができる。
【００２４】
この他、本発明によれば、スロート（１９）の幅狭化により、庫外への熱漏洩を効果的に遮断することができ、消費電力量を低減することができるとともに、扉内側（１５）への扉ポケット部材（１６）の取付部構成も簡素化できるため、その分扉ポケット部材（１６）の内幅を広くすることによるポケット収納部（２０）の内幅寸法を拡大することができるため、ペットボトル（２３）の数種の定型寸法を考慮した収納ポケット幅とすることができる。
【００２５】
また、扉内側（１５）を形成するポリプロピレン樹脂は強度が強く耐薬品性にも優れており扉内側部材として適切であるが、扉本体内部に断熱材として発泡充填されるポリウレタンフォームとの密着性が悪いため、内表面を火炎により粗面にして密着強度を改善している。そして、火炎処理を効果的にするためや前記扉ポケット部材（１６）の取り付け係合構成との関係から、ビード部（１５ａ）の室内側への突出高さは５０ｍｍ以下としている。
【００２６】
さらに、扉内側（１５）のビード部（１５ａ）の内側面に取り付けられる扉ポケット部材（１６）の係合面は冷蔵室（２）内側に向かって外側に拡がる傾斜面（１６ｂ）としており、室内側の収納幅寸法を大きくしている。同時に、扉の開放側については室内奥方に向かって開扉軌跡に沿った円弧状部（１６ｃ）を形成し、開扉の際にポケットの端部が他方扉（１３）に当接しないようにしている。
【００２７】
上記扉構成については、左扉（１２）について説明したが、回転仕切片（１８）を除いた他の構成は右扉（１３）についても同一関係である。
【００２８】
【発明の効果】
以上説明したように、本発明によれば、本体高さが高いとともに幅寸法が小さく、冷蔵室が上部にあって扉の内側ポケットへの収納容量の大きい冷蔵庫であっても、冷蔵室扉の開扉時における重心の前方移行を少なくして転倒を防止する安全な形態が得られるとともに、左右に区分された扉内側収納ポケット部の載置スペースを保持して扉内側の外観意匠を良好にし、且つ扉ポケット部材とのこすれ音の発生を少なくすることができる。
【図面の簡単な説明】
【図１】本発明の１実施形態を示す冷蔵庫の縦断面図である。
【図２】図１における冷蔵室左扉の斜視図である。
【図３】図１における左扉のポケット収納部分の横断面図である。
【符号の説明】
１…冷蔵室本体        ２…冷蔵室              １２…左扉
１４…扉外板            １５…扉内側              １５ａ…ビード部
１５ｂ…凸リブ          １５ｃ…係合凹溝        １６…扉ポケット部材
１６ａ…係合凸部        １６ｂ…傾斜面          １６ｃ…円弧状部
１７…ガスケット          １８…回転仕切片        １９…スロート
２０…収納ポケット部    ２１…断熱材            ２２…リブ
２３…ペットボトル
【図１】
2004353942.tif 000003
【図２】
2004353942.tif 000004
【図３】
2004353942.tif 000005